【事件の表示】
　　特許第２８３４０３７号「樹脂製配線ボックス」の請求項１乃至２に係る特許に対する特許異議の申立てについて、次のとおり決定する。
【結　論】
　訂正を認める。
　特許第２８３４０３７号の請求項１に係る特許を維持する。
【理　由】
１．手続の経緯
　特許出願　　　　　　　　　　　　　　　　平成　７年　７月１４日
　特許権設定登録　　　　　　　　　　　　　平成１０年１０月　２日
　特許異議の申立て　　　　　　　　　　　　平成１１年　６月　４日
　　　（特許異議申立人　貝沼　忠）
　取消理由通知　　　　　　　　　　　　　　平成１１年　９月２７日
　訂正請求　　　　　　　　　　　　　　　　平成１１年１２月　３日
２．訂正の適否について
（１）訂正の内容
　特許権者が求めている訂正の内容は、以下のａ，ｂのとおりである。
　ａ．特許請求の範囲の訂正
　明細書の特許請求の範囲のうち、請求項１を削除し、請求項１を引用していた請求項２を請求項１に改め、請求項１と請求項２を引用していた請求項３を新たに請求項２及び請求項３とするものであり、訂正明細書の請求項１に係る発明（以下、本件発明という。）は、その特許請求の範囲の請求項１に記載された次の事項により特定されるとおりのものである。
　「底部と、前記底部周縁から立設される側壁と、前記底部の対面側に設けられ、プレート部材が取り付け可能な開口部と、前記プレート部材取り付け用の雄ねじ部材が挿通可能で前記側壁に深さ方向に延びるように設けられ、内部に前記雄ねじ部材と螺合可能なナットが配設されるねじ挿通部と前記ねじ挿通部内に設けられ、前記ナットの座面を支持する支持部と、前記側壁に設けられ、外側面から前記支持部に通じるナット挿入口と、を備え、前記側壁及び前記ねじ挿通部において、前記支持部下方には外方及び下方に開放する空間が形成されている樹脂製配線ボックス。」
　ｂ．発明の詳細な説明の訂正
　段落【０００５】における「請求項１に記載の」を「本発明の」と訂正する。
（２）訂正の目的の適否、新規事項の有無及び拡張・変更の存否
　上記訂正ａは、特許請求の範囲の減縮に該当し、新規事項の追加に該当せず、また実質的に特許請求の範囲を拡張又は変更するものでもない。
　また、上記訂正ｂは、特許請求の範囲の減縮に伴って、明細書の明りょうでない記載の釈明をしたものであり、願書に添付した明細書に記載した事項の範囲内のものであって、実質的に特許請求の範囲を拡張又は変更するものでもない。
（３）独立特許要件
　当審が通知した取消理由通知に引用された刊行物１（特開昭６３−１０７４０９号公報：特許異議申立人が提出した甲第１号証刊行物）、刊行物２（意匠登録第３０９４１０−４号：特許異議申立人が提出した甲第３号証刊行物）、及び刊行物３（意匠登録第４３５１７７−１号：特許異議申立人が提出した甲第４号証刊行物）記載の発明、及び特許異議申立人が提示した甲第２，５号証刊行物記載の発明は、いずれも本件発明の構成に欠くことができない事項である「支持部下方には外方及び下方に開放する空間が形成されている」のうち、「外方に開放する空間が形成されている」点を有しておらず、また、この点を上記刊行物に記載された発明に基いて当業者が容易になし得たこととも認められない。
　なお、特許異議申立人貝沼忠は、甲第３乃至５号証記載の発明は「支持部下方には外方及び下方に開放する空間が形成されている」ものである旨主張しているが、甲第３乃至５号証記載の発明は「支持部下方に下方の他、さらに外方に開放する空間が形成されている」ものではないから、上記特許異議申立人の主張を採用することはできない。
（４）むすび
　以上のとおりであるから、上記訂正は、特許法第１２０条第２項及び同条第３項において準用する同法第１２６条第２−４条の規定に適合するので、当該訂正を認める。
３．特許異議の申し立てについて
（１）本件発明
　平成１１年１２月３日付けで提出された訂正明細書の請求項１に係る発明は、その特許請求の範囲の請求項１に記載された事項により特定されるとおりのものである。
（２）申し立て理由の概要
　特許異議申立人貝沼忠は、証拠として甲第１号証（特開昭６３−１０７４０９号公報）、甲第２号証（実願昭５５−９４８２号のマイクロフィルム）、甲第３号証（意匠登録第３０９４１０−４号）、甲第４号証（意匠登録第４３５１７７−１号）及び甲第５号証（実願昭５０−１５２１５８号のマイクロフィルム）を提出し、本件特許明細書の請求項１乃至２に係る発明の特許は、特許法第２９条第２項の規定に違反してされたものであるから、特許を取り消すべき旨主張している。
（３）判断
　上記２．（１）に記載したとおり、訂正により特許明細書の請求項１は削除され、同請求項２は繰り上げられて訂正明細書の請求項１となった。そして、訂正明細書の請求項１に係る発明、即ち本件発明は、上記２．（３）で述べたように、甲第１乃至５号証に記載された発明であるとも、甲第１乃至５号証に記載された発明に基いて当業者が容易に発明をすることができたものでもない。
（４）むすび
　以上のとおりであるから、特許異議申立ての理由及び証拠によっては、本件発明についての特許を取り消すことはできない。
　また、他に本件発明についての特許を取り消すべき理由を発見しない。
４．むすび
　よって、結論のとおり決定する。
【異議決定日】
平成１２年２月２８日（２０００．２．２８）
【訂正の要旨】
▲１▼訂正事項ａ
　特許請求の範囲を、下記のように訂正する。
「（請求項１）底部と、前記底部周縁から立設される側壁と、前記底部の対面側に設けられ、プレート部材が取り付け可能な開口部と、前記プレート部材取り付け用の雄ねじ部材が挿通可能で前記側壁に深さ方向に延びるように設けられ、内部に前記雄ねじ部材と螺合可能なナットが配設されるねじ挿通部と、前記ねじ挿通部内に設けられ、前記ナットの座面を支持する支持部と、前記側壁に設けられ、外側面から前記支持部に通じるナット挿入孔と、を備え、
前記側壁及び前記ねじ挿通部において、前記支持部下方には外方及び下方に開放する空間が形成されている樹脂製配線ボックス。
（請求項２）底部と、前記底部周縁から立設される側壁と、前記底部の対面側に設けられ、プレート部材が取り付け可能な開口部と、前記プレート部材取り付け用の雄ねじ部材が挿通可能で前記側壁に深さ方向に延びるように設けられ、内部に前記雄ねじ部材と螺合可能なナットが配設されるねじ挿通部と、前記ねじ挿通部内に設けられ、前記ナットの座面を支持する支持部と、前記側壁に設けられ、外側面から前記支持部に通じるナット挿入孔と、を備え、
前記ナット挿入孔の内壁面と前記支持部の支持面にはナット座面に圧接する凸部が形成されている樹脂製配線ボックス。
（請求項３）底部と、前記底部周縁から立設される側壁と、前記底部の対面側に設けられ、プレート部材が取り付け可能な開口部と、前記プレート部材取り付け用の雄ねじ部材が挿通可能で前記側壁に深さ方向に延びるように設けられ、内部に前記雄ねじ部材と螺合可能なナットが配設されるねじ挿通部と、前記ねじ挿通部内に設けられ、前記ナットの座面を支持する支持部と、前記側壁に設けられ、外側面から前記支持部に通じるナット挿入孔と、を備え、
前記側壁及び前記ねじ挿通部において、前記支持部下方には外方及び下方に開放する空間が形成され、
前記ナット挿入孔の内壁面と前記支持部の支持面にはナット座面に圧接する凸部が形成されている樹脂製配線ボックス。」
▲２▼訂正事項ｂ
　段落番号【０００５】の１行目（公報第２頁第３欄第２３行）における「請求項１に記載の」を、「本発明の」と訂正する。
（５４）【発明の名称】
樹脂製配線ボックス
（５７）【特許請求の範囲】
　【請求項１】　底部と、前記底部周縁から立設される側壁と、前記底部の対面側に設けられ、プレート部材が取り付け可能な開口部と、前記プレート部材取り付け用の雄ねじ部材が挿通可能で前記側壁に深さ方向に延びるように設けられ、内部に前記雄ねじ部材と螺合可能なナットが配設されるねじ挿通部と、前記ねじ挿通部内に設けられ、前記ナットの座面を支持する支持部と、前記側壁に設けられ、外側面から前記支持部に通じるナット挿入孔と、
を備え、
前記側壁及び前記ねじ挿通部において、前記支持部下方には外方及び下方に開放する空間が形成されている
　【請求項２】　
底部と、前記底部周縁から立設される側壁と、前記底部の対面側に設けられ、プレート部材が取り付け可能な開口部と、前記プレート部材取り付け用の雄ねじ部材が挿通可能で前記側壁に深さ方向に延びるように設けられ、内部に前記雄ねじ部材と螺合可能なナットが配設されるねじ挿通部と、前記ねじ挿通部内に設けられ、前記ナットの座面を支持する支持部と、前記側壁に設けられ、外側面から前記支持部に通じるナット挿入孔と、を備え、
前記ナット挿入孔の内壁面と前記支持部の支持面にはナット座面に圧接する凸部が形成されている
　【請求項３】　
底部と、前記底部周縁から立設される側壁と、前記底部の対面側に設けられ、プレート部材が取り付け可能な開口部と、前記プレート部材取り付け用の雄ねじ部材が挿通可能で前記側壁に深さ方向に延びるように設けられ、内部に前記雄ねじ部材と螺合可能なナットが配設されるねじ挿通部と、前記ねじ挿通部内に設けられ、前記ナットの座面を支持する支持部と、前記側壁に設けられ、外側面から前記支持部に通じるナット挿入孔と、を備え、
前記側壁及び前記ねじ挿通部において、前記支持部下方には外方及び下方に開放する空間が形成され、
前記ナット挿入孔の内壁面と前記支持部の支持面にはナット座面に圧接する凸部が形成されている
【発明の詳細な説明】
　【０００１】
　【発明の属する技術分野】本発明は、樹脂製配線ボックス、特に壁裏に設けられる樹脂製配線ボックスに関する。
　【０００２】
　【従来の技術】従来の樹脂製配線ボックス（以下、単にボックスという）は、一般に矩形状の底部と、その四辺に立設された側壁とを備えている。ボックスの一面側は開口しており、この開口部には配線器具取付枠等のようなプレートが取り付けられる。また、対向する１対の側壁の内面にはねじ挿通部が設けられており、その内部にはプレート取付け用の雄ねじ部材が挿通可能である。さらに、このねじ挿通部の内部には、雄ねじ部材と螺合するナットが埋め込まれている。
　【０００３】
　【発明が解決しようとする課題】上述のボックスにおいて、ナットは、底部に形成された孔から細長の治具を用いてねじ挿通部に挿入され、所定位置まで押し込まれた後、超音波溶着により埋め込まれる。しかしながら、このような構造では、ナットの外周がねじ挿通部の内周と溶着しているだけの構造であるため軸方向の押圧力に弱い。従って、プレート取付時に雄ねじ部材をナットに螺合させる際、ナットが雄ねじ部材に押されて脱落し、プレートを固定することができない場合がある。
　【０００４】本発明が解決しようとする課題は、ナットの脱落を防止してプレートを確実に取り付けられるようにすることである。本発明が解決しようとする別の課題は、ナットのねじ挿通部への装着を容易にすることである。本発明が解決しようとするさらに別の課題は、材料の削減や製品の軽量化を図ることである。
　【０００５】
　【課題を解決するための手段】
本発明の
　【０００６】さらに、ナット挿入孔を備えている。ナット挿入孔は、側壁に設けられ、外側面から支持部に通じる。ここでは、ナットをねじ挿通部に装着する場合、外側面からナットをナット挿入孔に挿入し、支持部まで移動させる。この場合は、ナットの配設が容易になる。ねじ挿通部は側壁の内面に形成されていることができる。この場合は、ボックスの外観に突出部がないため、壁裏等に装着しやすい。
　【０００７】ねじ挿通部の支持部下方には外方及び下方に開放する空間が形成されていることができる。この場合は、ねじ挿通部の周壁の一部が省略され、材料の削減、製品の軽量化が可能となる。ナット挿入孔の内壁面と支持部の支持面にはナット座面に圧接する凸部が形成されていることができる。この場合は、簡単な構造でナットの座面を確実に支持することができる。
　【０００８】
　【発明の実施の形態】以下、本発明の一実施形態による配線用樹脂製ボックス（以下、単にボックスという）を図１に基づいて説明する。ボックス１は、配線器具等が取り付けられる底部５と、対向する１対の長辺側壁部６，７と、対向する１対の短辺側壁部８，９とを有している。これらの４つの側壁部はそれぞれ底部５周縁から立設されている。長辺側壁部６，７には細長形状の複数のねじ挿通孔１０が対向するように形成されている。また、短辺側壁部８，９には、電線を通過させるための２つのノックアウト１１が形成されている。
　【０００９】また、短辺側壁部８，９の一端側には、長辺側壁部６に平行な取り付け部１５，１６が形成されており、その一部は長辺側壁部６上に接している。取り付け部１５，１６には取付用の２つの孔１７が設けられている。さらに、短辺側壁部８，９のそれぞれの内面側には、配線器具取付枠等のプレート部材を取り付けるための筒状のねじ挿通部１２，１３が内側に突出するように形成されている。
　【００１０】このねじ挿通部１２，１３には、その途中に支持部１９が形成されている。支持部１９は、図３に示すように、ねじ挿通部１２に挿入されるねじ部材２０に螺合するナット２１を支持するために形成されたものであり、ナット２１を支持できる程度の大きさの凹部となっている。また、支持部１９の下方は空間Ａとなっている。
　【００１１】短辺側壁部８及び９には、図１、図２及び図４に示すように、外面側からねじ挿通部１２内の支持部１９へ通じるナット挿入孔２２が形成されており、ナット挿入孔２２の内壁面と支持部１９の支持面には、ナット座面に圧接する凸部２３がナット挿入孔２２の長手方向に沿って形成されている。このような構造により、ナット２１はナット挿入孔２２から支持部１９に圧入されてねじ挿通部１２内に埋め込まれる。このとき、ナット２１は凸部２３の弾性変形あるいは塑性変形によって強固に挟持されることとなり、外部に抜け出るのを防止できる。
　【００１２】このようにして得られたボックス１を構築物に取り付ける場合は、図５に示すように、まず、ボックス１を、その長辺側壁部が支柱３０の側面に当接するように、かつ開口部が支柱３０の表面と面一になるように配置する。そして、取り付け部１５，１６をねじ部材等により支柱３０に固定する。この後、ボックス１の開口部を覆うように壁材３２を取り付ける。そしてさらに壁材３２に孔をあけ、ボックス１内部に配線器具等を収納した後にプレート３３を取り付ける。プレート３３を取り付けた状態を図６に示す。このプレート３３を取り付ける際に、ねじ部材２０がナット２１に螺合する。螺合時において、ナット２１は図６の上下方向に力を受けるが、支持部１９によって強固に支持されているので、ナット２１が脱落することはない。
　【００１３】なお、図５に示す使用形態では、壁材３２と支柱３０との間に胴縁３１が設けられるが、この胴縁３１は設けられない場合もある。
〔他の実施形態〕図７及び図８に示す実施形態では、ボックス１は、支持部１９の下方だけでなく、下方及び外方にも開放する空間Ｂを有している。この場合は、材料の削減や製品の軽量化を図ることができる。
　【００１４】なお、他の構造は前記実施形態と同様である。また、ボックスの細部の構造にういて、本発明の要旨に影響を与えない範囲で適宜設計変更可能である。
　【００１５】
　【発明の効果】本発明に係る樹脂製配線ボックスでは、ナットが雄ねじ部材に押されて脱落することがなくなる。従って、プレートをボックスに確実に螺着することができる。側壁に、外側面から支持部に通じるナット挿入孔をさらに備えている場合には、ナットの配設が容易になり、生産性が向上する。
　【００１６】ねじ挿通部の支持部下方に外方及び下方に開放する空間が形成されている場合には、ねじ挿通部の周壁の一部を省略することができるので、材料の削減や製品の軽量化を図ることができる。ナット挿入孔の内壁面と支持部の支持面に凸部が形成されている場合には、ナットを確実に位置決め支持することができる。
【図面の簡単な説明】
　【図１】本発明の一実施形態による樹脂製配線ボックスの斜視図。
　【図２】図１に示した実施形態による樹脂製配線ボックスの断面図。
　【図３】図１に示した実施形態による樹脂製配線ボックスの断面図。
　【図４】ナット挿入孔の拡大図。
　【図５】本発明に係る樹脂製配線ボックスの使用形態を示す断面図。
　【図６】図１に示した実施形態による樹脂製配線ボックスにプレート部材を取りつけた時の断面図。
　【図７】本発明の他の実施形態による樹脂製配線ボックスの斜視図。
　【図８】図７に示した実施形態による樹脂製配線ボックスの断面図。
　【符号の簡単な説明】　１ボックス５底部６，７長辺側壁部８，９短辺側壁部１２，１３ねじ挿通部１９支持部２２ナット挿入孔２３凸部